(57)【要約】【課題】プレフィルドシリンジのシリンジ先端に設けた注射針装着ノズルに被覆されるキャップを、簡便に取り外すことが可能となり、且つ取り外しにあたって、指先等がノズル先端部に触れることないシリンジ先端キャップ取り外し冶具の提供。【解決手段】シリンジ先端部に設けた注射針装着ノズルに被覆されるキャップのフランジ部下部のキャップ胴部を挟持・挿入する挿入部を有するプレートからなるシリンジ先端キャップ取り外し冶具であり、プレートが平板状或いは湾曲状のプレートであってもよく、さらにプレートの端部に屈曲部を設け、また、プレートに、キャップのフランジ部を押さえるブリッジ部を設けることもできるシリンジ先端キャップ取り外し冶具。【選択図】図１
2007209508.tif 000002
【特許請求の範囲】
【請求項１】
シリンジ先端部に設けた注射針装着ノズルに被覆されるキャップのフランジ部下部のキャップ胴部を挟持・挿入する挿入部を有するプレートからなるシリンジ先端キャップ取り外し冶具。
【請求項２】
取り外し時に応力を伝えるためのシリンジバレルへの接触部を設けたプレートからなる請求項１に記載のシリンジ先端キャップ取り外し冶具。
【請求項３】
キャップ胴部を挟持・挿入する挿入部を有するプレートが平板状或いは湾曲状のプレートである請求項１又は２に記載のシリンジ先端キャップ取り外し冶具。
【請求項４】
キャップ胴部を挟持・挿入する挿入部を有するプレートの他端を屈曲させた請求項１、２又は３に記載のシリンジ先端キャップ取り外し冶具。
【請求項５】
キャップ胴部を挟持・挿入する挿入部を有するプレートに、キャップのフランジ部を押さえるブリッジ部を設けたものである請求項１、２、３又は４に記載のシリンジ先端キャップ取り外し冶具。
【請求項６】
シリンジ先端部に設けた注射針装着ノズルに被覆されるキャップが、ルアーロックアダプターを装着するルアーロック方式のノズルに被覆されるものである請求項１〜５のいずれかに記載のシリンジ先端キャップ取り外し冶具。
【発明の詳細な説明】
【技術分野】
【０００１】
本発明は、シリンジ先端に設けた注射針装着ノズルに被覆されるキャップを簡便に取り外すことを可能にする、シリンジ先端キャップ取り外し冶具に関する。
【背景技術】
【０００２】
予め所定量の薬液を充填したプレフィルドシリンジにおいては、シリンジの先端部に設けた注射針装着ノズルにゴム栓等のキャップ、いわゆるティップキャップを被覆することにより、シリンジ内に充填された薬液を外部に液漏れしないように封印し、次いで薬液を充填したシリンジ全体を樹脂フィルムで無菌包装し、使用に供されている。
【０００３】
このプレフィルドシリンジを用いて薬液を投与する場合には、シリンジを包む樹脂フィルムからシリンジを取り出した後、注射針装着ノズルに被覆されているキャップを取り外し、ノズルに所定の注射針を装着し、注射投与しているが、一般に注射針装着ノズルに被覆されるキャップの取り外しが困難な場合が多い。
【０００４】
特に、ルアーロックアダプターを装着するルアーロック方式のノズルに被覆されるキャップを取り外す場合には、ルアーロックアダプター部分までも含めてキャップが被覆されていることから、簡単に指先でキャップを取り外すことができない問題がある。また、用量の小さなプレフィルドシリンジにあっては、ノズルに被覆されるキャップも必然的に小さなものとなり、取り外しにくく、それが特にルアーロック方式のノズルの場合には、キャップを強引に取り外すとノズル自体を根元から折ってしまう事態も発生していた。
【０００５】
さらにキャップの取り外しにあたって、キャップのフランジ部を指先で摘んで行ったとしても、ノズル先端部に指先が触れてしまうことがあり、雑菌の混入等の問題が生じ、衛生管理上好ましいものではない問題点がある。
【発明の開示】
【発明が解決しようとする課題】
【０００６】
したがって本発明は、上記の現状を鑑み、プレフィルドシリンジのシリンジ先端に設けた注射針装着ノズルに被覆されるキャップを、簡便に取り外すことが可能となり、且つ取り外しにあたって、指先等がノズル先端部に触れることないシリンジ先端キャップ取り外し冶具を提供することを課題とする。
【課題を解決するための手段】
【０００７】
かかる課題を解決するための本発明は、以下の基本的構成からなる。すなわち、
（１）シリンジ先端部に設けた注射針装着ノズルに被覆されるキャップのフランジ部下部のキャップ胴部を挟持・挿入する挿入部を有するプレートからなるシリンジ先端キャップ取り外し冶具；
である。
【０００８】
さらに本発明は、キャップの取り外しをより容易に行い得る態様として、
（２）取り外し時に応力を伝えるためのシリンジバレルへの接触部を設けたプレートからなるシリンジ先端キャップ取り外し冶具；
である。
【０００９】
また本発明は、具体的には、
（３）キャップ胴部を挟持・挿入する挿入部を有するプレートが平板状或いは湾曲状のプレートであるシリンジ先端キャップ取り外し冶具；
である。
【００１０】
さらに具体的には、本発明は、
（４）キャップ胴部を挟持・挿入する挿入部を有するプレートの他端を屈曲させたシリンジ先端キャップ取り外し冶具；
（５）キャップ胴部を挟持・挿入する挿入部を有するプレートに、キャップのフランジ部を押さえるブリッジ部を設けたものであるシリンジ先端キャップ取り外し冶具；
である。
【００１１】
より好ましい本発明は、
（６）シリンジ先端部に設けた注射針装着ノズルに被覆されるキャップが、ルアーロックアダプターを装着するルアーロック方式のノズルに被覆されるものであるシリンジ先端キャップ取り外し冶具；
である。
【発明の効果】
【００１２】
本発明が提供するシリンジ先端キャップ取り外し冶具は、キャップのフランジ部下部のキャップ胴部を挟持・挿入したプレートをキャップと一体的に動かすことにより、キャップ自体に取り外しのための応力を与え、それにより無理なくキャップを取り外すことが可能となる。
したがって、本発明が提供するシリンジ先端キャップ取り外し冶具を用いてキャップの取り外しを行う場合には、指先がノズル先端部に触れることないことから、極めて衛生的に取り扱うことができる利点を有している。
【００１３】
また本発明が提供するシリンジ先端キャップ取り外し冶具は、キャップ自体に取り外しのための応力を、いわゆる梃子の原理を応用しているものでもあり、キャップ胴部を挟持・挿入したプレートを、例えば親指等にて下方若しくは上方に動かすことで容易に取り外しが可能となる利点を有する。
したがって、特にルアーロックアダプターを装着するルアーロック方式のノズルに被覆されるキャップを取り外す場合にも、ルアーロックアダプター部分までも含めたキャップを簡単に取り外すことが可能となる利点を有している。
【００１４】
さらに、本発明が提供するシリンジ先端キャップ取り外し冶具は、用量の小さなプレフィルドシリンジのキャップを取り外す場合に、ノズル自体を根元から折ることなく簡便にキャップを取り外すことが可能となる。
【００１５】
さらにまた、単にプレートをキャップ胴部に挿入しただけでは、輸送時、使用時に冶具が外れ、脱落する恐れがあるが、プレートに、キャップのフランジ部を押さえるブリッジ部を設けることにより、冶具とキャップが分離しにくいものとなり、確実なシリンジ先端キャップの取り外しが可能となる。
【発明を実施するための最良の形態】
【００１６】
本発明が提供するシリンジ先端キャップ取り外し冶具は、その基本的構成は、上記したように、シリンジ先端部に設けた注射針装着ノズルに被覆されるキャップのフランジ部下部のキャップ胴部を挟持・挿入する挿入部を有するプレートからなる。
【００１７】
この場合、キャップのフランジ部としては、通常のキャップにおけるフランジ部として構成されるものに加え、フランジ的な機能を発揮する態様のものも包含する。例えば、キャップ先端部の突縁部としてのフランジ部を設けないキャップであっても、キャップ上部に本発明のプレートが挿入・挟持されるための切り込み部を設けることも可能であり、かかる切り込み部の上方部分は、本発明にいうフランジ部を構成する。
以下に、本発明のこれらの詳細について、図面を用いて説明する。
【００１８】
図１は、本発明が提供するシリンジ先端キャップ取り外し冶具の一実施例の斜視図である。
図中、１はシリンジ先端キャップ取り外し冶具（以下、取り外し冶具と記す）を示し、当該取り外し冶具１は、シリンジ先端部に設けた注射針装着ノズルに被覆されるキャップのフランジ部下部のキャップ胴部を挟持・挿入する挿入部１０を有するプレートからなるものである。
【００１９】
この場合におけるプレートに設ける挿入部の大きさは、その挿入部で挟持・挿入するキャップ胴体の径の大きさに準じ決定され、したがって、プレート自体の大きさも該挿入部を取り囲むのに充分か大きさとして決定することができる。
【００２０】
さらに、該プレートの厚みも、キャップのフランジ部下部に挿入され、そのフランジ部の当接によってキャップを取り外すのに充分な厚みがあれば良く、おおよそ１〜３ｍｍ程度、好ましくは１〜２ｍｍ程度の厚みを有していればよい。
【００２１】
図２に、プレフィルドシリンジの先端部の注射針装着ノズルに被覆されたキャップに本発明の取り外し冶具を装着した状態を示した。
図２の（Ｉ）は、キャップのフランジ部下部のキャップ胴部に本発明の取り外し冶具を挟持・挿入した状態示した部分概略模式図であり、図２の（ＩＩ）は、その状態をキャップの天面方向から見た概略模式図である。
【００２２】
すなわち、本発明の取り外し冶具１であるプレートは、プレフィルドシリンジ２０の先端部の注射針装着ノズル２１に被覆されたキャップ３０のフランジ部３１下部のキャップ胴部を、挿入部１０（図中、図示せず）で挟持・挿入することにより、キャップ３０に取り付けられている。
本発明の取り外し冶具１によりキャップを取り外す場合には、この状態で、キャップ３０のフランジ部３１下部のキャップ胴部を挟持・挿入した取り外し冶具１であるプレートとキャップ３０と一体的に動かすことにより、キャップ自体に取り外しのための応力が効率良く与えられ、それにより無理なくキャップを取り外すことができるのである。
【００２３】
本発明の取り外し冶具１であるプレートが挟持・挿入されるキャップとしては、例えば図３に示す各種のキャップを挙げることができる。すなわち、図３の（Ｉ）に示すような通常のフランジ部３１を有するキャップ３０、或いは、図３の（ＩＩ）に示すようなフランジ部を有さないキャップ３０であって、その上部にプレートを挟持・挿入する切り込み部３２を有するキャップ３０等を挙げることができる。すなわち、図３の（ＩＩ）に示したキャップ３０であっても、本発明の取り外し冶具１であるプレートが切り込み部３２に挟持・挿入され、その状態で、キャップ３０とプレートを一体的に動かすことにより、キャップ自体に取り外しのための応力が与えられ、それにより無理なくキャップを取り外すことができるのである。したがって、この場合においては、キャップ３０の切り込み部３２の上部は、図３の（Ｉ）にいうフランジ部３１としての機能を発揮することとなる。
【００２４】
また本発明においては、キャップの取り外しのための応力を、いわゆる梃子の原理を応用しているものでもある。そのような梃子の原理を応用した本発明の取り外し冶具１によるキャップ３０の取り外しは、特にルアーロックアダプターを装着するルアーロック方式のノズルに被覆されるキャップを取り外す場合に顕著に現れる。すなわち、本発明の取り外し冶具は、キャップのフランジ部とルアーロックアダプターのシリンジロック部の隙間においてキャップ胴部を挟持するように取り外し冶具であるプレートが挿入されることから、例えば親指等により端部を上方、或いは下方へプレートを動かすことで、プレートの他方の端部がシリンジロック部へ当接し、その結果、梃子の原理が働き、容易にキャップを取り外すことが可能となる。
【００２５】
その状態である本発明の上記実施例に基づく取り外し冶具を装着したプレフィルドシリンジの先端部の要部概略拡大断面を図４として示した。
すなわち、ルアーロック方式のノズルに被覆されるキャップ３０においては、キャップ３０は、ルアーロックアダプター部分２３までも含めてキャップが被覆され、本発明の取り外し冶具１であるプレートは、シリンジロック部２２とキャップ３０のフランジ部３１の隙間においてキャップ３０の胴部を挟持するように挿入されることとなる。したがって、プレート１の端部１１を、例えば親指等により端部を上方（図中Ａ方向）、或いは下方（図中Ｂ方向）へプレートを動かすことで、プレートの他方の端部１２がシリンジロック部２２へ当接し、その結果、梃子の原理が働き、容易にキャップを取り外すことが可能となる。
【００２６】
この梃子の原理によるキャップの取り外しを行うものとしては、ルアーロックアダプターを装着するルアーロック方式のノズルに被覆されるキャップの場合のみに限定されるものではない。
例えば、ルアーロック方式を有さないノズルに被覆されるキャップの場合には、取り外し時に応力を、梃子の原理として伝えるためのシリンジバレルへの接触部を設けたプレートを用いればよい。
【００２７】
かかる態様を図５に示した。図５は、そのような本発明の取り外し冶具であるプレートを、キャップに装着した状態を示した模式図である。なお、図中の符号は図２における符号と同一の意味を有する。
すなわち、この態様にあっては、本発明の取り外し冶具１であるプレートには、プレートの前方にシリンジバレルへの接触部１８ａと、後方にシリンジバレルへの接触部１８ｂを設けており、プレート１の端部１１を、例えば親指等により上方（図中Ａ方向）、或いは下方（図中Ｂ方向）へ動かすことで、シリンジバレルへの接触部がシリンジ２０へ当接している結果、梃子の原理が働き、容易にキャップを取り外すことが可能となる。
なお、このシリンジバレルへの接触部は、プレートの前方、或いは後方の一カ所に設けたものであってもよい。すなわち、プレートの前方にのみにシリンジバレルへの接触部１８ａを設けた場合には、プレート１の端部１１を、親指等により上方（図中Ａ方向）へ動かすことにより、また、プレートの後方にのみシリンジバレルへの接触部１８ｂを設けた場合には、プレート１の端部１１を、親指等により下方（図中Ｂ方向）へ動かすことにより、梃子の原理が働き、容易にキャップを取り外すことが可能となる。
【００２８】
上記した実施例における本発明の取り外し冶具１であるプレートは、キャップ胴部を挟持・挿入する挿入部を有する平板状のプレートであるが、該プレートは、湾曲状のプレートであってもよい。すなわち、キャップ胴部を挟持・挿入する挿入部を含め、当該部分が、湾曲状の形状を有していてもよい。更に、挿入部を有するプレートの他端を屈曲させた屈曲部１５を設けたものであってもよい。この屈曲部１５を有することにより、例えば親指等を屈曲部１５に添え、端部を上方、或いは下方へプレートをより動かし易くすることが可能となる。
【００２９】
かかる実施例に基づく本発明の取り外し冶具１を図６および図７に示した。なお、図中における符号は、図１の符号と同一の意味を有する。
すなわち、図６は、本発明の取り外し冶具１が、キャップ胴部を挟持・挿入する挿入部１０をふくめて湾曲状のプレートとして構成され、さらに挿入部１０を有するプレート１の他端１１を屈曲させた屈曲部１５として構成したものである。
この湾曲状の曲げの程度は、キャップ３０のフランジ部３１株の胴部を挿入部１０で教示すると共に、フランジ部を無理なく当接する程度の曲げであれば良く、更に端部に屈曲部１５を設けたことにより、例えば親指で屈曲部を下方に押し下げるだけで、容易にキャップを取り外すことが可能となる。
【００３０】
また、図７は、本発明の取り外し冶具１が、キャップ胴部を挟持・挿入する挿入部１０を含めて平板状のプレートに、さらにその他端１１を屈曲させた屈曲部１５として構成したものであり、キャップの取り外しの原理は図６に示した実施例の場合と同様である。
【００３１】
また、本発明の取り外し冶具１にあっては、単に取り外し冶具であるプレートをキャップ胴部に挿入しただけでは、輸送時、使用時に冶具が外れ、脱落する恐れがあることより、プレートに、キャップのフランジ部を押さえるブリッジ部を設け、取り外し冶具とキャップが分離しにくいものとすることができる。
【００３２】
この別の実施例に基づく本発明の取り外し冶具１の斜視図を図８として示した。なお、図中における符号は、図１の符号と同一の意味を有する。
すなわち、かかる別の実施例に基づく本発明の取り外し冶具１は、キャップ胴部を挟持・挿入する挿入部１０を有し、該挿入部１０で教示したキャップ３０（図示せず）のフランジ部（図示せず）を押さえるブリッジ部１６を設けたものである。
なお、このブリッジ部の大きさは、該ブリッジ部により押さえるキャップのフランジ部の大きさにより決定される。
【００３３】
この別の実施例による本発明の取り外し冶具１を、ルアーロック方式の注射針装着ノズルに被覆されたキャップに装着した状態を図９に示した。
図９の（Ｉ）は、キャップのフランジ部下部のキャップ胴部に本発明の取り外し冶具を挟持・挿入した状態示した部分概略模式図であり、図９の（ＩＩ）は、その状態をキャップの天面方向から見た概略模式図である。
すなわち、本発明の取り外し冶具１はキャップ３０の胴部を挟持するように挿入部１０に挿入されるが、それと共に、キャップ３０のフランジ部３１をブリッジ部１６で押さえる構成となっている。
【００３４】
このブリッジ部１６によりキャップ３０のフランジ部３１を押さえることにより、輸送時、或いは使用時に冶具が外れ、脱落する恐れを回避することができる。
【００３５】
なお、本発明の取り外し冶具の形態は上記したものに限定されず、その目的を達成する限り種々の変形が可能であり、かかる変形も本発明の技術的範囲に包含されるものであることはいうまでもない。
【００３６】
本発明における取り外し冶具１の形成材料としては、例えば、ポリエチレンやポリプロピレン等の硬質プラスチック材料が挙げられ、医療用用具として使用が許容されているものであれば、特に限定されない。
【００３７】
また、キャップ３０の形成材料としても、例えばブチルゴムやエラストマー等のゴム弾性材料であり、医療用用具として使用が許容され、従来からシリンジのキャップの形成材料として使用されているものであれば、特に限定されない。
【００３８】
本発明が提供する取り外し冶具１の取り付け方法としては、シリンジ充填組み立て後、最後にキャップ３０に取り付けてもよく、またキャップ３０に最初から取り付けた状態でシリンジ組み込む方法であってもよい。
また、キャップ３０に取り付ける手間を考えた場合、キャップと取り外し冶具１とを一体成形（例えば、２色成形）、若しくはインサート成形により成形し、シリンジに取り付けることも可能である。
【００３９】
また、別形態として、本発明の取り外し冶具自体を、例えば指に取り付ける形態として構成し、キャップを取り外すようにすることも可能であり、かかる形態も本発明の取り外し冶具に包含される。
【産業上の利用可能性】
【００４０】
以上記載のように、本発明の取り外し冶具により、プレフィルドシリンジのシリンジ先端に設けた注射針装着ノズルに被覆されるキャップを簡便に取り外すことが可能となり、且つ取り外しにあたって、指先等がノズル先端部に触れることないことから、極めて衛生的であり、雑菌の混入等の問題がない点で、医療上の価値は多大なものである。
【図面の簡単な説明】
【００４１】
【図１】本発明のキャップ取り外し冶具の、一実施例を示した斜視図である。
【図２】本発明の実施例に基づく取り外し冶具をキャップに装着したシリンジの先端部の要部概略拡大断面である。
【図３】本発明のキャップ取り外し冶具を挟持・挿入するキャップを示した図である。
【図４】本発明の実施例に基づく取り外し冶具を装着したプレフィルドシリンジの先端部の要部概略拡大断面である。
【図５】本発明の別の実施例に基づく取り外し冶具を装着したシリンジの先端部の要部概略拡大断面である。
【図６】本発明のキャップ取り外し冶具の、別の実施例を示した斜視図である。
【図７】本発明のキャップ取り外し冶具の、別の実施例を示した斜視図である。
【図８】本発明のキャップ取り外し冶具の、別の実施例を示した斜視図である。
【図９】本発明の取り外し冶具を、ルアーロック方式の注射針装着ノズルに被覆されたキャップに装着した状態を示した図である。
【符号の説明】
【００４２】
１    取り外し冶具（プレート）
１０  挿入部
１５  屈曲部
１６  ブリッジ部
１８ａ、１８ｂ  シリンジバレルへの接触部
２０  シリンジ
２１  注射針装着ノズル
２２  シリンジロック部
３０  キャップ
３１  キャップフランジ部
３２  切り込み部
【図１】
2007209508.tif 000003
【図２】
2007209508.tif 000004
【図３】
2007209508.tif 000005
【図４】
2007209508.tif 000006
【図５】
2007209508.tif 000007
【図６】
2007209508.tif 000008
【図７】
2007209508.tif 000009
【図８】
2007209508.tif 000010
【図９】
2007209508.tif 000011